(57)【特許請求の範囲】
【請求項１】
配線部材が敷設される敷設面が設置部材に設けられた遊技機において、
前記設置部材には、配線経路と、該配線経路とは異なる他の配線経路とが、所定方向に並列に延在するよう設けられ、前記配線経路および他の配線経路の各敷設面が該敷設面に対する交差方向に高低差のある段差状に形成されて、当該交差方向において高位置側に前記配線経路が位置すると共に、該第１の配線経路よりも低位置側にずれた位置に前記他の配線経路が位置するよう構成され、
前記配線部材を前記配線経路に保持する配線保持部が該配線経路の延在方向に離間して複数設けられて、前記複数の配線保持部の間に、前記配線経路を外側へ開放する引出口が設けられ、
前記複数の配線保持部は、前記配線経路の敷設面と離間して対向する対向部を夫々備え、該対向部および前記敷設面の間に前記配線部材を保持するよう構成され、
前記引出口を挟んで位置する一方の配線保持部に設けられた前記対向部と、前記敷設面との間隔が、他方の配線保持部に設けられた前記対向部と、前記敷設面との間隔より大きく形成され、
前記一方の配線保持部に保持された前記配線部材のうち一部の配線部材を前記引出口から前記配線経路の外側へ引き出すと共に、残りの配線部材を前記他方の配線保持部で保持するよう構成され、
前記配線経路を横幅方向における前記他の配線経路側から視認可能とするための第１視認部と、前記他の配線経路を横幅方向における前記配線経路と反対側から視認可能とするための第２視認部とを備えた
ことを特徴とする遊技機。
【発明の詳細な説明】
【技術分野】
【０００１】
本発明は、複数の配線部材を備えた遊技機に関するものである。
【背景技術】
【０００２】
遊技機の代表例の一つとしてのパチンコ機は、遊技を制御する遊技制御基板と、該遊技制御基板からの指示に基づいて各種演出を制御する演出制御基板とを備えており、該演出制御基板は、演出に関する各種出力装置(例えば、画像表示装置、スピーカおよび発光装置)と配線接続されて、該出力装置を制御するよう構成されている。また、遊技制御基板は、図柄等を発光表示するための発光表示器と配線接続されると共に、入賞検知センサや不正検知センサ等と配線接続されている。すなわち、パチンコ機には、各種の電気部品を対応する制御基板と電気的に接続するための配線部材が多数備えられている。これらの配線部材は、パチンコ機の適宜位置に設けられた配線経路に配設されて配線保持片により保持される(例えば、特許文献１)。
【先行技術文献】
【特許文献】
【０００３】
【特許文献１】特開２０１３−２４４２６２号公報
【発明の概要】
【発明が解決しようとする課題】
【０００４】
パチンコ機には制御基板や出力装置等を含む多種多様な部材が設置されることから、配線部材を取り回す位置やスペースには制限がある。ここで、接続先が異なる複数の配線部材を共通の配線経路に配設することで配線経路の数を低減させることはできるが、１つの配線経路の幅寸法を大きくすれば結果的に大きなスペースを占有することとなる。また、配線経路に配設される配線部材のうち一部を配線経路の途中から引き出す場合には、配線経路に対応して設けた複数の配線保持片が夫々保持する配線部材の数が相違することになり、一部の配線保持片では配線部材の保持数が過少となって配線経路に配線部材を確実に保持し得なくなる。
【０００５】
そこで本発明は、従来の技術に内在する前記問題に鑑み、これらを好適に解決するべく提案されたものであって、複数の配線部材を確実に保持可能な遊技機を提供することを目的とする。
【課題を解決するための手段】
【０００６】
前記課題を克服し、所期の目的を達成するため、本願請求項１に係る発明は、
配線部材が敷設される敷設面(R1a)が設置部材(50)に設けられた遊技機において、
前記設置部材(50)には、配線経路(R1)と、該配線経路(R1)とは異なる他の配線経路(R2)とが、所定方向に並列に延在するよう設けられ、前記配線経路(R1)および他の配線経路(R2)の各敷設面(R1a,R2a)が該敷設面(R1a,R2a)に対する交差方向に高低差のある段差状に形成されて、当該交差方向において高位置側に前記配線経路(R1)が位置すると共に、該第１の配線経路(R1)よりも低位置側にずれた位置に前記他の配線経路(R2)が位置するよう構成され、
前記配線部材(H1,H2,H3,H4,H5)を前記配線経路(R1)に保持する配線保持部(71,72)が該配線経路(R1)の延在方向に離間して複数設けられて、前記複数の配線保持部(71,72)の間に、前記配線経路(R1)を外側へ開放する引出口(R1b)が設けられ、
前記複数の配線保持部(71,72)は、前記配線経路(R1)の敷設面(R1a)と離間して対向する対向部(76)を夫々備え、該対向部(76)および前記敷設面(R1a)の間に前記配線部材(H1,H2,H3,H4,H5)を保持するよう構成され、
前記引出口(R1b)を挟んで位置する一方の配線保持部(71)に設けられた前記対向部(76)と、前記敷設面(R1a)との間隔(L1)が、他方の配線保持部(72)に設けられた前記対向部(76)と、前記敷設面(R1a)との間隔(L2)より大きく形成され、
前記一方の配線保持部(71)に保持された前記配線部材(H1,H2,H3,H4,H5)のうち一部の配線部材(H1)を前記引出口(R1b)から前記配線経路(R1)の外側へ引き出すと共に、残りの配線部材(H2,H3,H4,H5)を前記他方の配線保持部(72)で保持するよう構成され、
前記配線経路(R1)を横幅方向における前記他の配線経路(R2)側から視認可能とするための第１視認部(91)と、前記他の配線経路(R2)を横幅方向における前記配線経路(R1)と反対側から視認可能とするための第２視認部(96)とを備えたことを要旨とする。
請求項１に係る発明によれば、配線部材の保持数が多い一方の配線保持部に設けられる対向部を、配線部材の保持数が少ない他方の配線保持部に設けられる対向部よりも敷設面に対して大きく離間させることで、各配線保持部が配線部材を配線経路に確実に保持可能な構成とすることができる。また、複数の配線部材を敷設面から対向部へ向けて重ねることができ、配線経路の横幅寸法を縮小できる。
更に、複数の配線部材を第１の配線経路および第２の配線経路に分けて配設することができるから、例えばメンテナンス等において特定の配線部材だけを容易に取り出すことができる。また、第１の配線経路および第２の配線経路に配設された各配線部材を、該配線経路の横幅方向から同時に確認できるから、配線部材の点検を容易に行うことができる。
【０００７】
本願には、次のような技術的思想が含まれる。
前記配線経路(R1)の一方端部に連通して該配線経路(R1)と交差する方向に延在する連通経路(RL)が形成され、
前記引出口(R1b)が前記配線経路(R1)における前記一方端側に偏倚した位置に対応して設けられると共に、該引出口(R1b)と前記連通経路(RL)との間に前記一方の配線保持部(71)が設けられ、
前記配線部材(H1,H2,H3,H4,H5)は、前記連通経路(RL)から前記配線経路(R1)に延在して前記一方の配線保持部(71)に保持されると共に、該配線部材(H1,H2,H3,H4,H5)のうち一部の配線部材(H1)が、前記引出口(R1b)から前記配線経路(R1)の外側へ引き出されて、前記一方の配線保持部(71)の前記対向部(76)よりも前記敷設面(R1a)から離間する側で所定の電気部品(34)に接続するよう構成されたことを要旨とする。
上記構成によれば、配線経路の一方端側(連通経路側)に偏倚した位置に一方の配線保持部を設けることで、一方の配線保持部によって配線部材を確実に保持することができると共に、該配線部材が過度に屈曲するのを防ぐことができる。
【発明の効果】
【０００９】
本発明に係る遊技機によれば、配線保持部によって複数の配線部材を確実に保持することができる。
【図面の簡単な説明】
【００１０】
【図１】本発明の実施例に係るパチンコ機を示す正面図である。
【図２】実施例に係る遊技盤を示す正面図である。
【図３】実施例に係る遊技盤の背面図であり、設置部材から制御ユニットを取り外した状態で示している。
【図４】実施例に係る遊技盤の側面図であり、設置部材から制御ユニットを取り外した状態で示している。
【図５】(ａ)は、実施例に係るパチンコ機の配線接続関係を示す説明図であり、(ｂ)は、制御ユニットを背面側から視た状態を示す斜視図である。
【図６】図３の要部拡大図である。
【図７】(ａ)は、図６のＡ−Ａ線断面図であり、(ｂ)は、図６のＢ−Ｂ線断面図である。
【図８】図６のＣ−Ｃ線断面図である。
【発明を実施するための形態】
【００１１】
次に、本発明に係る遊技機につき、好適な実施例を挙げて、添付図面を参照しながら以下詳細に説明する。なお、遊技機としては、一般的なパチンコ機を例にして説明する。また、以下の説明において、「前」、「後」、「左」、「右」とは、特に断りのない限り、図１に示すようにパチンコ機を前側(遊技者側)から見た状態で指称する。
【実施例】
【００１２】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０(図２参照)を着脱可能に保持する本体枠としての中枠(基体)１２が開閉および着脱可能に組み付けられて、該遊技盤２０の裏側に、演出(表示演出)を実行可能な演出手段としての図柄表示装置１７が着脱可能に配設されている。この図柄表示装置１７は、所定条件の成立(後述する始動入賞口３０へのパチンコ球の入賞)を契機として演出用の図柄(以下飾図という)を変動表示させて図柄変動演出を行うものであり、該図柄表示装置１７に表示される飾図の表示結果や演出の内容によって、当り遊技を生起するか否かの当り判定の結果が示唆または報知されるようになっている。また、中枠１２の前面側には、遊技盤２０を透視保護するガラス板や透明な合成樹脂材により形成された透視保護板１３ｂで前後に開口する窓口１３ａを覆うよう構成された装飾枠としての前枠(扉体)１３が開閉可能に組み付けられると共に、該前枠１３の下方にパチンコ球を貯留する下球受け皿１５が開閉可能に組み付けられている。更に、前枠１３の下部位置には、パチンコ球を貯留する上球受け皿１４が一体的に組み付けられており、前枠１３の開閉に合わせて上球受け皿１４が一体的に開閉するよう構成されている。なお、上球受け皿１４は、前枠１３と別体に形成して、中枠１２に対して開閉可能に組み付けるようにしてもよい。また、実施例では、図柄表示装置１７として、飾図の他に各種絵柄やキャラクタ等を表示可能な液晶パネルを収容ケースに収容した液晶表示装置が採用されているが、これに限られるものではなく、ドラム式の図柄表示装置やドットマトリックス式の図柄表示装置等の各種図柄を停止および変動表示可能な従来公知の各種の表示装置を採用し得る。
【００１３】
また、前枠１３には、窓口１３ａの外周を囲繞するよう枠ランプ(発光手段)１９が配設されると共に、前枠１３の上隅部に、音声や効果音を出力可能なスピーカ(音出力手段)１８が配設されている。すなわち、枠ランプ１９に設けられたＬＥＤ等の発光体(図示せず)を点灯・点滅したり、スピーカ１８から適宜の音声を出力することで、前記図柄表示装置１７での図柄変動演出に合わせて演出を行い得るよう構成されている。すなわち、前枠１３に配設された枠ランプ１９は、発光演出を実行可能な演出手段として機能すると共に、前枠１３に配設されたスピーカ１８は、音演出を実行可能な演出手段として機能している。なお、上球受け皿１４や下球受け皿１５に対して枠ランプ１９またはスピーカ１８を配設するよう構成してもよい。
【００１４】
前記中枠１２の右下方位置には、該中枠１２に配設された図示しない球発射装置を作動する操作ハンドル１６が設けられている。操作ハンドル１６は、左回転方向に付勢された操作レバー１６ａを備えており、該操作レバー１６ａを右回転するよう遊技者が回動操作することで球発射装置が作動されて、前記上球受け皿１４に貯留されたパチンコ球が前記遊技盤２０の遊技領域２０ａに向けて１球ずつ発射されるようになっている。ここで、操作レバー１６ａの回動量に応じて前記球発射装置によるパチンコ球の打球力が強弱変化するよう構成されている。
【００１５】
前記中枠１２の後面には、遊技店内の図示しない球補給機構から補給されたパチンコ球を貯留する球貯留機構１２０(図３および図７参照)が配設されている。球貯留機構１２０は、中枠１２の後面の上部に設けられて球補給機構からのパチンコ球の補給を受ける球タンク１２１と、この球タンク１２１の側端部(図３における右側の側端部)の下方で上下に延在するケース部材１２２と、このケース部材１２２の下側に設けられる球払出装置１２３とで構成されている。また、球貯留機構１２０には、パチンコ球が通過可能な球通路１２４が球タンク１２１およびケース部材１２２の内側を連通するよう形成されており、球払出装置１２３の上流側でパチンコ球を貯留し得るようになっている。すなわち、各種の入賞口２７,３０,３２へのパチンコ球の入賞を契機として球払出装置１２３を駆動することで、球通路１２４に貯留されているパチンコ球が前記上球受け皿１４や前記下球受け皿１５に払い出される。ここで、ケース部材１２２は、中枠１２の後面側において左上部から左下部へ向けて(図３における右上部から右下部へ向けて)延在して、遊技盤２０の側縁部の後方を通過するように位置している。
【００１６】
前記パチンコ機１０には、パチンコ機１０に関する統括的な制御を行う主制御基板(図示せず)が遊技盤２０の後面側(後述する設置部材５０の後側)に配設されると共に、主制御基板からの制御信号に基づいて演出に関する制御を行う演出制御基板３４(図５(ａ)参照)が遊技盤２０の後面側(後述する設置部材５０の後側)に配設されている。演出制御基板３４は、主制御基板からの制御信号を受けて前記図柄表示装置１７の表示内容を表示制御基板３５(図５(ａ)参照)に指示する(制御信号を出力する)ことで、該表示制御基板３５を介して図柄表示装置１７による表示を制御する。また、演出制御基板３４は、主制御基板３３からの制御信号を受けて、前記枠ランプ１９や後述する発光装飾部５４(図２参照)等の発光態様を図柄変動演出に合わせて制御したり、図柄変動演出に合わせて前記スピーカ１８の音出力態様を制御したり、図柄変動演出に合わせて後述する表示装置５５の表示態様を制御したりするようになっている。なお、主制御基板３３、演出制御基板３４および表示制御基板３５とは別に備えた制御基板が、枠ランプ１９、スピーカ１８、発光装飾部５４および表示装置５５の少なくとも何れかを制御するようにしてもよい。
【００１７】
(遊技盤２０について)
前記遊技盤２０は、アクリルやポリカーボネート等の光透過性の合成樹脂材から所定板厚の略矩形状に形成された平板状の透明板(遊技領域形成部材)であって、該遊技盤２０の裏側(後述する設置部材５０の後面)に前記図柄表示装置１７が着脱自在に組み付けられている。遊技盤２０の前側には、図２に示すように、略円形状に湾曲形成した案内レール２１が配設されており、該案内レール２１によって、パチンコ球が流下可能(移動可能)な略円形の遊技領域２０ａが画成されている。この遊技盤２０には、遊技領域２０ａから遊技盤２０の後方に貫通する装着口(図示せず)が適宜位置に開設されており、各装着口には、パチンコ球が入賞可能な入賞口を有する入賞装置(例えば、パチンコ球が入賞可能な始動入賞口３０が設けられた始動入賞装置２９、パチンコ球が入賞可能な特別入賞口３２が設けられた特別入賞装置３１、パチンコ球が入賞可能な一般入賞口２７ａが設けられた入賞部材２７)や、画像表示面１７ａの前方位置に表示窓口２５ａが前後に開口するよう形成された枠状装飾体２５といった各種の遊技部品が前側から取り付けられる。実施例のパチンコ機１０は、パチンコ球が遊技領域２０ａを流下して始動入賞口３０に入賞した場合に、当該入賞を契機として(当り判定条件の成立に応じて)特図当り判定(当り判定)が実行され、この当り判定の結果が当りの判定結果となることで、パチンコ球を特別入賞口３２へ入賞させて賞球を得ることが可能な(遊技者に有利な)特別遊技(当り遊技)が生起されるようになっている。また、遊技領域２０ａの最下部位置には、該遊技領域２０ａを流下したパチンコ球を排出するアウト口２２が開設されている。なお、遊技盤２０は、ベニヤ材や合成樹脂材等の非光透過性の板部材の表面に装飾シール等を貼付したものであってもよい。
【００１８】
(設置部材５０について)
図３に示すように、前記遊技盤２０の後面には、部材を配設可能な設置部材(空間画成部材)５０が取り付けられている。設置部材５０は、前側(遊技盤２０側)が開口する箱状に設けられており、部品を収容可能な収容空間５３を内側に画成するよう構成されている。具体的に、設置部材５０は、遊技盤２０の後方に離間して該遊技盤２０の後面と対向する略矩形状の背面板５１と、この背面板５１における上下および左右の外縁から前方(背面板５１に対する交差方向)へ延出して、遊技盤２０と背面板５１との間を囲うように延在する上下および左右の外周板５２と、により構成されている。すなわち、実施例のパチンコ機１０は、背面板５１の内面(前面)と、上下左右の外周板５２の内面とによって遊技盤２０の後側に収容空間５３が画成されるよう構成されている。
【００１９】
図２に示すように、前記収容空間５３には、前記図柄表示装置１７で行われる図柄変動演出に合わせた発光演出を実行する演出手段としての発光装飾部５４と、図柄表示装置１７で行われる図柄変動演出に合わせた表示演出を実行する演出手段としての表示装置５５とが配設されている。なお、発光装飾部５４として、収容空間５３の右側部に収容された右側の発光装飾部５４ａと、収容空間５３の上部に収容された上側の発光装飾部５４ｂと、収容空間５３の左側部に収容された左側の発光装飾部５４ｃとが配設されており、表示窓口２５ａを通じて遊技盤２０の前側から各発光装飾部５４ａ,５４ｂ,５４ｃを視認し得るよう構成されている。これらの発光装飾部５４ａ,５４ｂ,５４ｃには、発光体(ＬＥＤ)が配設された電気部品としての発光基板３８,３９,４０が設けられており、各発光基板３８,３９,４０に接続された配線部材Ｈ４,Ｈ５,Ｈ６(後述)が背面板５１の後側に引き出されて、当該背面板５１の後面(具体的には、後述する敷設面ＲＬａ,Ｒ１ａ,Ｒ２ａ)に敷設されている。
【００２０】
図３に示すように、前記背面板５１には、前記表示窓口２５ａの後方位置に表示用開口５１ａが形成されており、該背面板５１の後側に配設された前記図柄表示装置１７の表示面(画像表示面)１７ａが表示用開口５１ａに臨んで、遊技盤２０の前側から視認可能となっている。なお、背面板５１に関する以下の説明では、表示用開口５１ａの開口上縁を形成して上側の外周板５２に連なる背面板５１の上部を「上枠部５１Ｔ」と指称し、表示用開口５１ａの開口下縁を形成して下側の外周板５２に連なる背面板５１の下部を「下枠部５１Ｕ」と指称し、表示用開口５１ａにおける左側(図３において右側)の開口側縁を形成して左側の外周板５２に連なる背面板５１の左側部を「第１側枠部５１Ｌ」と指称し、表示用開口５１ａにおける右側(図３において左側)の開口側縁を形成して右側の外周板５２に連なる背面板５１の右側部を「第２側枠部５１Ｒ」と指称することがある。
【００２１】
なお、前記図柄表示装置１７の後面には、図５(ｂ)に示すように、前記演出制御基板３４が基板ケースに収容された状態で取り付けられると共に、前記表示制御基板３５が基板ケースに収容された状態で取り付けられている。すなわち、図柄表示装置１７と、演出制御基板３４と、表示制御基板３５とは、１つのユニット(以下、「制御ユニットＵＮ」と指称する)として、設置部材５０の後面(背面板５１の後面)に着脱自在に取り付けられている。
【００２２】
(制御ユニットＵＮの支持構造について)
図３に示すように、前記背面板５１には、前記制御ユニットＵＮの前面(図柄表示装置１７の前面)を支持する枠面部５１１が設けられている。枠面部５１１は、背面板５１における上枠部５１Ｔの一部と、下枠部５１Ｕの一部と、第１側枠部５１Ｌの一部と、第２側枠部５１Ｒの一部とにより、表示用開口５１ａを囲う枠状に設けられている。枠面部５１１の外形は、図柄表示装置１７の前面の外形と概ね対応しており、制御ユニットＵＮが背面板５１の後面に取り付けられると、該制御ユニットＵＮによって枠面部５１１の略全体が後側から被覆されるようになる。
【００２３】
なお、詳しくは後述するが、前記背面板５１における枠面部５１１の周囲には、制御ユニットＵＮの周囲に取り回される配線部材Ｈ１〜Ｈ６(後述)の敷設面ＲＬａ,Ｒ１ａ,Ｒ２ａ(後述)が形成されている。すなわち、背面板５１の後側には、配線部材Ｈ１〜Ｈ６の配線経路(後述する連通経路ＲＬ、第１経路Ｒ１および第２経路Ｒ２)が敷設面ＲＬａ,Ｒ１ａ,Ｒ２ａに沿って設けられている。
【００２４】
図３および図６に示すように、前記背面板５１の第１側枠部５１Ｌには、枠面部５１１の一方の側縁部(図３において右側の側縁部)に沿って上下に延在する係合支持部７０が設けられ、該係合支持部７０が制御ユニットＵＮの一方の側部を支持するよう構成されている。また、背面板５１の第２側枠部５１Ｒには、枠面部５１１に固定支持部７８が設けられ、該固定支持部７８によって制御ユニットＵＮの他方の側部を支持するよう構成されている。そして、制御ユニットＵＮは、係合支持部７０および固定支持部７８に左右の側部が支持されると共に、枠面部５１１によって前側から当接支持されるようになっている。
【００２５】
前記係合支持部７０は、図７に示すように、枠面部５１１の側縁から後方へ延在する第１壁部１０１と、この第１壁部１０１から左右方向における枠面部５１１と反対側へ延在する第２壁部１０２と、この第２壁部１０２から前方(遊技盤２０側)へ延在する第３壁部１０３とにより構成されており、これら第１〜第３壁部１０１,１０２,１０３のうち、制御ユニットＵＮ(具体的には図柄表示装置１７)の設置領域に臨む第１壁部１０１には、該制御ユニットＵＮ側へ向けて開口する複数(実施例では２つ)の係合口１０１ａが上下に離間するよう形成されている(図６参照)。そして、制御ユニットＵＮの側面(図柄表示装置１７の側面)から側方(図３における右方)へ向けて突出する複数(実施例では２つ)の係合突部４１(図５(ｂ)参照)を各係合口１０１ａに挿入して係合させることで、制御ユニットＵＮの一方の側縁部(図３における右側の側縁部)が位置決めされるようになっている。すなわち、係合支持部７０における係合口１０１ａが形成された第１壁部１０１は、制御ユニットＵＮを支持する支持面を形成している。
【００２６】
また、前記固定支持部７８は、図３に示すように、前後に開口する係止孔７８ａが形成されており、制御ユニットＵＮにおける係合突部４１と反対側の側部(図３における左側部)に設けた係止具４２(図５(ｂ)参照)を、後方から係止孔７８ａに挿入して係止することにより、制御ユニットＵＮが背面板５１の後側に固定される。このように、制御ユニットＵＮの一方の側部を前記係合支持部７０に位置決めしつつ、該制御ユニットＵＮの他方の側部を固定支持部７８で固定することで、当該制御ユニットＵＮが枠面部５１１の後方位置(設置領域)に配設されるようになっている。
【００２７】
(設置面部５１２について)
前記背面板５１における前記枠面部５１１より下側に位置する部位(以下、「設置面部５１２」と指称する)は、図３および図４に示すように、前記枠面部５１１の延在位置を基準として前側(遊技盤２０側)に偏倚するよう設けられている。そして、枠面部５１１との前後位置の差によって設置面部５１２の後面側に生じるスペースに、配線部材Ｈ１〜Ｈ６を介して前記制御ユニットＵＮや他の電気部品と電気的に接続される基板３６,３７が設置されている。具体的に、設置面部５１２の後側には、左右方向の中央よりも第１側枠部５１Ｌ側(図３における右側)に偏倚した位置に、前記演出制御基板３４と他の電気部品との間の電気的な接続を中継する統括中継基板３６が配設されている。また、設置面部５１２の後側には、統括中継基板３６に対して左右方向に離間する位置(図３における左側の端部)に、前記前枠１３に設けられた電気部品(具体的には、スピーカ１８や枠ランプ１９等)と前記演出制御基板３４との間の電気的な接続を中継する枠用中継基板３７が配設されている。なお、統括中継基板３６は、前記表示制御基板３５と他の電気部品(具体的には、表示装置５５)との間の電気的な接続を中継する機能も有している。
【００２８】
ここで、前記設置面部５１２の後面側には、前記統括中継基板３６や前記枠用中継基板３７に接続する配線部材Ｈ１〜Ｈ６の配線経路としての連通経路(配線経路)ＲＬが設けられている。連通経路ＲＬは、前記枠面部５１１の下端に沿って左右方向に延在するよう形成されており、該連通経路ＲＬの敷設面ＲＬａに敷設された第１〜第６配線部材Ｈ１,Ｈ２,Ｈ３,Ｈ４,Ｈ５,Ｈ６は、枠面部５１１の下端から下方に延在する押え片６８によって該連通経路ＲＬに保持される。また、連通経路ＲＬは、統括中継基板３６の配設領域の上側を通過して、右端部(図３における左端部)が枠用中継基板３７に臨むと共に、左端部(図３における右端部)が、前記第１側枠部５１Ｌに設けられた後述する第１経路(第１の配線経路)Ｒ１および第２経路(第２の配線経路)Ｒ２の下端側に連通している。これにより、第１〜第６配線部材Ｈ１,Ｈ２,Ｈ３,Ｈ４,Ｈ５,Ｈ６は、連通経路ＲＬを通過して第１経路Ｒ１および第２経路Ｒ２に分岐するように取り回される(図６参照)。この連通経路ＲＬは、図３に拡大して示すように、幅寸法(上下寸法)Ｗ１が大きく確保されている。すなわち、連通経路ＲＬの通路幅方向の幅寸法Ｗ１は、後述する第１経路Ｒ１の幅寸法(左右寸法)Ｗ２や第２経路Ｒ２の幅寸法(左右寸法)よりも大きく、かつ、これら第１経路Ｒ１および第２経路Ｒ２の各幅寸法を合わせた幅寸法よりも大きく設けられている。なお、統括中継基板３６の配設領域および連通経路ＲＬは、前記主制御基板が設置面部５１２の左右両端部に支持されて設置部材５０に取り付けられると、該主制御基板によって後方から覆われる。
【００２９】
(配線構造について)
図５(ａ)に示すように、前記演出制御基板３４は、第１配線部材Ｈ１によって前記枠用中継基板３７と接続されている。すなわち、演出制御基板３４は、前記スピーカ１８や前記枠ランプ１９を制御するための制御信号を、第１配線部材Ｈ１を介して枠用中継基板３７に出力するよう構成されている。また、演出制御基板３４は、第２配線部材Ｈ２によって前記統括中継基板３６と接続されている。統括中継基板３６には、前記収容空間５３に配設された複数の発光基板３８,３９,４０に繋がる第４〜第６配線部材Ｈ４,Ｈ５,Ｈ６が接続されており、演出制御基板３４から第２配線部材Ｈ２、統括中継基板３６および第４配線部材Ｈ４を介して右発光基板３８に制御信号を出力することで、該演出制御基板３４が右発光基板３８の発光制御を行うようになっている。同様に、演出制御基板３４は、第２配線部材Ｈ２、統括中継基板３６および第５配線部材Ｈ５を介して上発光基板３９に制御信号を出力することで該上発光基板３９の発光制御を行うと共に、第２配線部材Ｈ２、統括中継基板３６および第６配線部材Ｈ６を介して左発光基板４０に制御信号を出力することで該左発光基板４０の発光制御を行うよう構成されている。また、統括中継基板３６は、第３配線部材Ｈ３によって前記表示制御基板３５と接続されると共に、図示しない配線部材によって前記表示装置５５と接続されている。そして、表示制御基板３５は、表示装置５５を制御するための制御信号を、第３配線部材Ｈ３、統括中継基板３６および図示しない配線部材を介して表示装置５５に出力することで該表示装置５５を表示制御するよう構成されている。
【００３０】
なお、実施例の第１〜第６配線部材Ｈ１,Ｈ２,Ｈ３,Ｈ４,Ｈ５,Ｈ６は、銅合金等からなる素線を塩化ビニル等の絶縁体で被覆して形成される電線(配線)を複数本束ねた、所謂ワイヤハーネスが用いられており、第１〜第６配線部材Ｈ１,Ｈ２,Ｈ３,Ｈ４,Ｈ５,Ｈ６を一定程度の力で捻じったり、曲げたりして変形した際には、絶縁体の弾性等により、変形部位近傍において形状を復元する力が作用するように構成されている。但し、強い捻じり力や曲げ力が加わると、素線自体が屈折して復元し得なくなり、断線等が生じ易くなる。ここで、実施例では、第１〜第５配線部材Ｈ１,Ｈ２,Ｈ３,Ｈ４,Ｈ５が、左右に延在する幅広の連通経路ＲＬを通過して、上下に延在すると共に連通経路ＲＬより通路幅方向の幅寸法が小さい第１経路Ｒ１へと延在するよう取り回される。すなわち、連通経路ＲＬから第１経路Ｒ１へと第１〜第５配線部材Ｈ１,Ｈ２,Ｈ３,Ｈ４,Ｈ５を屈曲状に敷設する必要があり、連通経路ＲＬおよび第１経路Ｒ１の連通部分において配線部材Ｈ１,Ｈ２,Ｈ３,Ｈ４,Ｈ５に対して強い曲げ力がかかり得る。また、第１経路Ｒ１で通路幅方向(左右方向)のスペースが充分に確保できないことで配線部材Ｈ１,Ｈ２,Ｈ３,Ｈ４,Ｈ５の動きが制限されると、配線部材Ｈ１,Ｈ２,Ｈ３,Ｈ４,Ｈ５に余計な負荷がかかり得る。これに対し、実施例では、第１経路Ｒ１の下端側に対応して設けられる配線保持部７１(後述)を他の配線保持部７２,７３,７４(後述)より後方へ大きく設けることで、第１経路Ｒ１の下端側における前後方向の幅寸法を大きく確保して、第１経路Ｒ１の下端側において多数の配線部材Ｈ１,Ｈ２,Ｈ３,Ｈ４,Ｈ５を余裕をもって挿通させ得るよう構成されている。また、第１経路Ｒ１の下端側に対応して設けられる配線保持部７１(後述)が他の配線保持部７２,７３,７４(後述)より後方で配線部材Ｈ１に当接するように構成することで、第１経路Ｒ１から後方へ向けて引き出される第１配線部材Ｈ１が過度に曲るのを防止しつつ、第１〜第６配線部材Ｈ１,Ｈ２,Ｈ３,Ｈ４,Ｈ５,Ｈ６を複数の配線保持部７１,７２,７３,７４で確実に保持し得るようになっている。
【００３１】
図６に示すように、実施例では、前記設置面部５１２(前記下枠部５１Ｕ)に設置された枠用中継基板３７や統括中継基板３６に設けたコネクタ接続部ＣＮに接続する第１〜第５配線部材Ｈ１,Ｈ２,Ｈ３,Ｈ４,Ｈ５が、該設置面部５１２の前記連通経路ＲＬを通過して、前記第１側枠部５１Ｌに設けられた第１経路Ｒ１に延在するよう取り回されると共に、統括中継基板３６に設けたコネクタ接続部ＣＮに接続する第６配線部材Ｈ６が、前記連通経路ＲＬを通過して、第１側枠部５１Ｌに設けられた第２経路Ｒ２に延在するよう取り回される。そこで、以下、第１経路Ｒ１と第１〜第５配線部材Ｈ１,Ｈ２,Ｈ３,Ｈ４,Ｈ５との関係について説明し、次に、第２経路Ｒ２と第６配線部材Ｈ６との関係について説明する。
【００３２】
(第１経路Ｒ１と、第１〜第５配線部材Ｈ１,Ｈ２,Ｈ３,Ｈ４,Ｈ５との関係について)
図３、図６および図７に示すように、前記第１経路Ｒ１は、前記係合支持部７０を構成する壁部(具体的には、前記第３壁部)１０３と、第１〜第５配線部材Ｈ１,Ｈ２,Ｈ３,Ｈ４,Ｈ５が敷設される敷設面Ｒ１ａを形成する壁部(第４壁部)１０４と、該壁部１０４を挟んで係合支持部７０と対向する壁部(第１突壁)９０と、配線部材Ｈ１,Ｈ２,Ｈ３,Ｈ４,Ｈ５を敷設面Ｒ１ａ側(第１経路Ｒ１)に保持する複数の配線保持部７１,７２,７３,７４とにより、前記第１側枠部５１Ｌの後面側に画成されている。
【００３３】
具体的に、前記第１側枠部５１Ｌは、前記枠面部５１１に連なる前記第１〜第３壁部１０１,１０２,１０３によって係合支持部７０が後方(遊技盤２０から離間する側)へ突出するよう設けられ、第３壁部１０３の前端から左右方向における枠面部５１１と反対側(図７における右側)へ延在するよう第４壁部１０４が設けられている。また、第４壁部１０４の第３壁部１０３と反対側の側端には、当該側端から後方(遊技盤２０から離間する側)へ延在する第１突壁(側壁)９０が設けられている。すなわち、第３壁部１０３、第４壁部１０４および第１突壁９０は、上下方向に延在すると共に上下および後方へ開口する断面視コ字状の壁を構成している。そして、第３壁部１０３および第１突壁９０によって左右から挟まれた第４壁部１０４の後面(敷設面Ｒ１ａ)に、第１〜第５配線部材Ｈ１,Ｈ２,Ｈ３,Ｈ４,Ｈ５が敷設されるようになっている。
【００３４】
また、前記複数の配線保持部７１,７２,７３,７４は、第２壁部１０２における上下方向(第１経路Ｒ１の延在方向)に相互に離間する位置から夫々延出して、敷設面Ｒ１ａと対向するよう設けられている。なお実施例では、４つの配線保持部７１,７２,７３,７４(以下、下側に位置する配線保持部から順に、「第１配線保持部７１」「第２配線保持部７２」「第３配線保持部」「第４配線保持部」と指称することがある)が、第１経路Ｒ１に対応して設けられている。
【００３５】
このように、実施例の前記第１経路Ｒ１は、第１側枠部５１Ｌに設けられる前記係合支持部７０を挟んで前記制御ユニットＵＮ(設置領域)と反対側に、上下方向に延在するよう設けられている。そして、係合支持部７０の壁面を利用して第１経路Ｒ１を画成することで、該第１経路Ｒ１と係合支持部７０との間に無駄なスペースが生じないように構成されている。また、第１〜第４配線保持部７１,７２,７３,７４を係合支持部７０に設けることで、当該配線保持部７１,７２,７３,７４をコンパクトに形成し得るようになっている。更に、係合支持部７０において制御ユニットＵＮを支持する支持面(第１壁部１０１の壁面)とは異なる壁面(具体的には、第２壁部１０２の後面)に第１〜第４配線保持部７１,７２,７３,７４を設けることで、制御ユニットＵＮの取り付けの際に該制御ユニットＵＮが配線保持部７１,７２,７３,７４と干渉するのを防いでいる。
【００３６】
図７および図８に示すように、前記第１〜第４配線保持部７１,７２,７３,７４は、前記第２壁部１０２における第１経路Ｒ１側の側縁から後方(敷設面Ｒ１ａから離間する側)へ延出する基部７５と、この基部７５の後端から第１経路Ｒ１側へ延出すると共に敷設面Ｒ１ａと前後に離間して対向する対向部７６と、この対向部７６の延出端(基部７５と反対側の側端)から前方(敷設面Ｒ１ａ側)へ延出する規制部７７とにより構成されている。対向部７６は、図７から明らかなように、基部７５の後端から次第に敷設面Ｒ１ａに近づくよう傾斜方向に延在している。規制部７７の前端は、敷設面Ｒ１ａから離間しており、該規制部７７の前端と敷設面Ｒ１ａとの隙間を通じて第１〜第５配線部材Ｈ１,Ｈ２,Ｈ３,Ｈ４,Ｈ５を第１経路Ｒ１内に挿入し得るようになっている。第１〜第４配線保持部７１,７２,７３,７４は、規制部７７を左右方向に弾性変形させることで、該規制部７７の先端(前端)と敷設面Ｒ１ａとの隙間を拡大し得るように形成されている。すなわち、配線部材Ｈ１,Ｈ２,Ｈ３,Ｈ４,Ｈ５は、規制部７７の先端と敷設面Ｒ１ａとの隙間を介して第１経路Ｒ１へと挿入される。規制部７７の先端の角部は面取りがされており、該規制部７７の先端と敷設面Ｒ１ａとの隙間に第１〜第５配線部材Ｈ１,Ｈ２,Ｈ３,Ｈ４,Ｈ５を挿入する際に、規制部７７の先端に配線部材Ｈ１,Ｈ２,Ｈ３,Ｈ４,Ｈ５が引っ掛かるのを防止し得るようになっている。なお、各規制部７７の先端(前端)と、敷設面Ｒ１ａとの間隔は一定となっており、第１経路Ｒ１からの配線部材Ｈ１,Ｈ２,Ｈ３,Ｈ４,Ｈ５の離脱を防止し得るよう構成されている。
【００３７】
また、前記第１経路Ｒ１の敷設面Ｒ１ａには、図８に示すように、敷設面Ｒ１ａの左右の両側縁に亘って左右に延在すると共に、後方へ突出する複数の離間突部１０４ｂが設けられている。すなわち、離間突部１０４ｂは、第１〜第５配線部材Ｈ１,Ｈ２,Ｈ３,Ｈ４,Ｈ５を当該敷設面Ｒ１ａから離間させて、敷設面Ｒ１ａと、規制部７７の先端との間から第１経路Ｒ１の外側へ配線部材Ｈ１,Ｈ２,Ｈ３,Ｈ４,Ｈ５が離脱しないよう規制している。なお、実施例では、離間突部１０４ｂの敷設面Ｒ１ａから後方へ向けた突出寸法が規制部７７の先端の敷設面Ｒ１ａに対する離間寸法よりも小さく設定されているが、規制部７７の先端の敷設面Ｒ１ａに対する離間寸法よりも大きく設定してもよい。
【００３８】
ここで、図７および図８に示すように、前記敷設面Ｒ１ａ(第４壁部１０４)には、第１〜第４配線保持部７１,７２,７３,７４の前方位置に、第１経路Ｒ１に連通する逃げ孔１０４ａが夫々形成されている。すなわち、各配線保持部７１,７２,７３,７４の対向部７６および規制部７７は、前後方向において当該敷設面Ｒ１ａの逃げ孔１０４ａと対向するようになっている。ここで、第１〜第５配線部材Ｈ１,Ｈ２,Ｈ３,Ｈ４,Ｈ５は、第１経路Ｒ１において後方への移動が第１〜第４配線保持部７１,７２,７３,７４に規制されるものの、前記逃げ孔１０４ａの内側への変位は許容される(図８における第２配線保持部７２に対向する逃げ孔１０４ａと、第４配線部材Ｈ４との関係を参照)。すなわち、第１経路Ｒ１に多数の配線部材Ｈ１,Ｈ２,Ｈ３,Ｈ４,Ｈ５が収容されたとしても、第１〜第４配線保持部７１,７２,７３,７４にかかる負荷を軽減することができるようになっている。
【００３９】
前記第１経路Ｒ１は、図６および図８に示すように、各配線保持部７１,７２,７３,７４の間が後方へ向けて開口しており、当該開口(以下、「引出口Ｒ１ｂ」と指称することがある)を介して第１経路Ｒ１内の配線部材Ｈ１,Ｈ２,Ｈ３,Ｈ４,Ｈ５を引き出し得るよう構成されている。実施例では、隣接する配線保持部７１,７２,７３,７４の相互間に引出口Ｒ１ｂが夫々形成されている。
【００４０】
そして、図６および図８に示すように、第１配線部材Ｈ１は、前記連通経路ＲＬを通過して第１経路Ｒ１に延在すると共に、該第１経路Ｒ１において第１配線保持部７１により保持されて、該第１配線保持部７１と第２配線保持部７２との間の引出口Ｒ１ｂから引き出されている。また、第２配線部材Ｈ２は、前記連通経路ＲＬを通過して第１経路Ｒ１に延在すると共に、該第１経路Ｒ１において第１および第２配線保持部７１,７２により保持されて、該第２配線保持部７２と第３配線保持部７３との間の引出口Ｒ１ｂから引き出されている。更に、第３配線部材Ｈ３は、前記連通経路ＲＬを通過して第１経路Ｒ１に延在すると共に、該第１経路Ｒ１において第１〜第３配線保持部７１,７２,７３により保持されて、該第３配線保持部７３と第４配線保持部７４との間の引出口Ｒ１ｂから引き出されている。なお、第４および第５配線部材Ｈ４,Ｈ５は、前記連通経路ＲＬを通過して第１経路Ｒ１に延在すると共に第１〜第４配線保持部７１,７２,７３,７４の内側を通過して該第１経路Ｒ１の上端側へ引き出されている。すなわち、第１配線保持部７１は、第１〜第５配線部材Ｈ１,Ｈ２,Ｈ３,Ｈ４,Ｈ５の全ての配線部材を保持するよう構成され、第２配線保持部７２は、第１配線部材Ｈ１を除く他の配線部材Ｈ２,Ｈ３,Ｈ４,Ｈ５を保持するよう構成され、第３配線保持部７３は、第１および第２配線部材Ｈ１,Ｈ２を除く他の配線部材Ｈ３,Ｈ４,Ｈ５を保持するよう構成されている。また、第４配線保持部７４は、第４および第５配線部材Ｈ４,Ｈ５のみを保持するよう構成されている。
【００４１】
ここで、前記第１〜第６配線部材Ｈ１,Ｈ２,Ｈ３,Ｈ４,Ｈ５,Ｈ６は、図６に示すように、前記連通経路ＲＬにおいて左右方向に延在すると共に、第１経路Ｒ１および第２経路Ｒ２において上下方向に延在する。すなわち、第１〜第６配線部材Ｈ１,Ｈ２,Ｈ３,Ｈ４,Ｈ５,Ｈ６は、幅寸法Ｗ１が大きく確保された連通経路ＲＬを通過したところで上方へ向けて曲げられて、幅寸法Ｗ２,Ｗ３の小さい第１経路Ｒ１および第２経路Ｒ２へと取り回される。しかも、第１経路Ｒ１には、第１〜第６配線部材Ｈ１,Ｈ２,Ｈ３,Ｈ４,Ｈ５,Ｈ６のうち大部分の配線部材Ｈ１,Ｈ２,Ｈ３,Ｈ４,Ｈ５が配設される。これに対し、第１経路Ｒ１に対応して設けられた第１配線保持部７１は、第１経路Ｒ１における下端側(一方端側)に偏倚した位置(より具体的には、コネクタ接続部ＣＮよりも下方)に設けられ、最も下側の前記引出口Ｒ１ｂと、連通経路ＲＬとの間に位置している。すなわち、第１経路Ｒ１における下端側(一方端側)に第１配線保持部７１を設けることで、連通経路ＲＬおよび第１経路Ｒ１の間で曲げられる第１〜第５配線部材Ｈ１,Ｈ２,Ｈ３,Ｈ４,Ｈ５を第１経路Ｒ１において直線状に延在させた状態で保持することができるようになっている。
【００４２】
また、前記第１配線保持部７１は、前記第２〜第４配線保持部７２,７３,７４と比べて、前記敷設面Ｒ１ａに対して後方へ大きく突出するよう設けられている。すなわち、実施例のパチンコ機１０は、図７に示すように、前記引出口Ｒ１ｂを挟んで位置する一方の配線保持部(第１配線保持部７１)に設けられた対向部７６と敷設面Ｒ１ａとの間隔Ｌ１が、当該引出口Ｒ１ｂを挟んで位置する他方の配線保持部(第２配線保持部７２)に設けられた対向部７６と敷設面Ｒ１ａとの間隔Ｌ２よりも大きく形成されている。そして、一方の配線保持部(第１配線保持部７１)に保持された第１〜第５配線部材Ｈ１,Ｈ２,Ｈ３,Ｈ４,Ｈ５のうち一部の配線部材(第１配線部材Ｈ１)を、両配線保持部７１,７２の間の引出口Ｒ１ｂから第１経路Ｒ１の外へ引き出すと共に、残りの配線部材(第２〜第５配線部材Ｈ２,Ｈ３,Ｈ４,Ｈ５)を他方の配線保持部(第２配線保持部７２)で保持するよう構成されている。すなわち、第１配線保持部７１は、他の配線保持部７２,７３,７４よりも対向部７６が敷設面Ｒ１ａから大きく離間することで、第１経路Ｒ１を前後方向に大きく形成している。すなわち、第１経路Ｒ１の幅寸法Ｗ２が連通経路ＲＬの幅寸法Ｗ１よりも小さく形成されていても、連通経路ＲＬを通過した配線部材Ｈ１,Ｈ２,Ｈ３,Ｈ４,Ｈ５,Ｈ６の大部分(配線部材Ｈ１,Ｈ２,Ｈ３,Ｈ４,Ｈ５)を、敷設面Ｒ１ａおよび対向部７６の間で前後方向に重ねるようにして保持し得るようになっている。また、配線部材Ｈ２,Ｈ３,Ｈ４,Ｈ５の保持数が第１配線保持部７１よりも少ない他の配線保持部７２,７３,７４は、第１配線保持部７１と比べて第１経路Ｒ１を前後方向に小さく形成することで、第１経路Ｒ１の前後寸法が無駄に広くなって配線部材Ｈ２,Ｈ３,Ｈ４,Ｈ５を確実に保持し得なくなるのを防いでいる。
【００４３】
更に言えば、前記第１配線保持部７１の対向部７６が前述したように前記第２配線保持部７２の対向部７６よりも敷設面Ｒ１ａに対して後方へ離間することで、図７(ａ)および図８に示すように、第１配線保持部７１および第２配線保持部７２の間の引出口Ｒ１ｂから第１配線部材Ｈ１を引き出すのに際して、該第１配線部材Ｈ１を第１経路Ｒ１に沿って上方へ引き出すことができ、引出口Ｒ１ｂから演出制御基板３４のコネクタ接続部ＣＮへ向けた第１配線部材Ｈ１の曲げ角度を緩やかにすることができるようになっている。
【００４４】
なお、実施例では、第２配線保持部７２の対向部７６と、敷設面Ｒ１ａとの間隔Ｌ２を、第３配線保持部７３の対向部７６と、敷設面Ｒ１ａとの間隔と同じにしたが、第２配線保持部７２の対向部７６を、第３配線保持部７３の対向部７６よりも敷設面Ｒ１ａから後方へ離間させてもよい。すなわち、第２配線保持部７２および第３配線保持部７３は、引出口Ｒ１ｂを挟んで下側に位置する第２配線保持部７２に保持された第２〜第５配線部材Ｈ２,Ｈ３,Ｈ４,Ｈ５のうち一部の配線部材(第２配線部材Ｈ２)を、両配線保持部７２,７３の間の引出口Ｒ１ｂから第１経路Ｒ１の外へ引き出すと共に、残りの配線部材(第３〜第５配線部材Ｈ３,Ｈ４,Ｈ５)を第３配線保持部７３で保持する関係にあることから、第３配線保持部７３よりも多くの配線部材Ｈ２,Ｈ３,Ｈ４,Ｈ５を保持する第２配線保持部７２が第３配線保持部７３よりも第１経路Ｒ１を前後方向に大きく形成するよう設けられることで、第２配線保持部７２が配線部材Ｈ１,Ｈ２,Ｈ３,Ｈ４,Ｈ５を保持するのに必要な第１経路Ｒ１の左右方向への幅寸法を縮小することができる。このことは、第３配線保持部７３の対向部７６と、第４配線保持部７４の対向部７６との関係においても同様である。
【００４５】
図７に示すように、前記敷設面Ｒ１ａ(第４壁部１０４)における前記第３壁部１０３と反対側の側縁部には、第３壁部１０３と対向して第１経路Ｒ１を画成する第１突壁９０が第４壁部１０４から後方へ突出するよう設けられている。第１突壁９０は、前記第１側枠部５１Ｌにおいて上下方向に離間して複数設けられている。実施例では、合計５つの第１突壁９０が、第１〜第４配線保持部７１,７２,７３,７４と上下方向に交互に位置するよう設けられている。具体的には、第１配線保持部７１より下側に位置する最も下側の第１突壁９０が、前記連通経路ＲＬに臨む第１経路Ｒ１の下端部を第３壁部１０３との間に画成している。また、下から２つ目の第１突壁９０が、上下方向において第１および第２配線保持部７１,７２の間に位置して、第３壁部１０３との間に第１経路Ｒ１の一部を画成すると共に、引出口Ｒ１ｂを画成している。下から３つ目の第１突壁９０は、上下方向において第２および第３配線保持部７２,７３の間に位置して、第３壁部１０３との間に第１経路Ｒ１の一部を画成すると共に、引出口Ｒ１ｂを画成している。下から４つ目(上から２つ目)の第１突壁９０は、上下方向において第３および第４配線保持部７３,７４の間に位置して、第３壁部１０３との間に第１経路Ｒ１の一部を画成すると共に、引出口Ｒ１ｂを画成している。そして、第４配線保持部７４より上側に位置する最も上側の第１突壁９０は、第１経路Ｒ１の上端部を第３壁部１０３との間に画成している。各第１突壁９０は、各配線保持部７１,７２,７３,７４における対向部７６の位置よりも敷設面Ｒ１ａ側に設けられると共に、前記規制部７７の先端の位置(敷設面Ｒ１ａに対する離間寸法)よりも大きく後方へ突出するよう設けられている。なお、各第１突壁９０は、敷設面Ｒ１ａから同一の突出寸法で後方へ突出するよう形成されている。また、各第１突壁９０における突出端側の角部には面取りがされており、該第１突壁９０の面取り部分が、各規制部７７の先端部の面取り部分と上下に対向することで、該第１突壁９０および規制部７７の間から、該規制部７７の先端および敷設面Ｒ１ａの間の隙間へ向けて第１〜第５配線部材Ｈ１,Ｈ２,Ｈ３,Ｈ４,Ｈ５を容易に挿入し得るようになっている。
【００４６】
ここで、上下に隣接する各第１突壁９０の間は、前記第１経路Ｒ１の内部を第１経路Ｒ１の側方(図７における右方)から視認するための第１視認部９１として機能している。すなわち、第１〜第４配線保持部７１,７２,７３,７４の夫々に対して左右に並ぶ領域には、第１経路Ｒ１の内外に連通する開口状の第１視認部９１が形成されている。そして、図４に示すように第１視認部９１を側方から視認した場合には、上下に隣接する各第１突壁９０の間から、配線保持部７１,７２,７３,７４に保持された状態の第１〜第５配線部材Ｈ１,Ｈ２,Ｈ３,Ｈ４,Ｈ５が目視により確認できるようになっている。なお、詳しくは後述するが、前記第１側枠部５１Ｌには、第１経路Ｒ１と隣接して同方向(上下方向)へ延在する第２経路Ｒ２ａが設けられており、該第２経路Ｒ２ａが第１経路Ｒ１に対して前方(遊技盤２０側)へずらして設けられることで、第１経路Ｒ１の内部を横幅方向における第２経路Ｒ２ａ側から第１視認部９１を介して確認し得るようになっている。
【００４７】
また、実施例では、第１突壁９０が透明(有色透明)な合成樹脂により形成されている。従って、第１視認部９１と比べて視認性は低いものの、該第１突壁９０を通じて第１経路Ｒ１の内部を第１経路Ｒ１の側方(図７における右方)から視認し得る。すなわち、第１突壁９０は、第１経路Ｒ１の内部を第１経路Ｒ１の側方(図７における右方)から視認するための視認部として機能している。
【００４８】
ところで、前記第１経路Ｒ１には、図６、図７および図８に示すように第１〜第５配線部材Ｈ１,Ｈ２,Ｈ３,Ｈ４,Ｈ５が前後方向に重ねて収容されており、最も敷設面Ｒ１ａ側に位置する配線部材(図７における第４および第５配線部材Ｈ４,Ｈ５)は、後側に重ねられる配線部材(図７における第１〜第３配線部材Ｈ１,Ｈ２,Ｈ３)によって覆われ、第１経路Ｒ１の側方(図７における右方)から第１視認部９１を通じて確認しようとしても視認し得ないケースが生じ得る。そこで、実施例では、第１経路Ｒ１の敷設面Ｒ１ａに複数の前記離間突部１０４ｂ(図８参照)を設けることで、配線部材Ｈ１,Ｈ２,Ｈ３,Ｈ４,Ｈ５を敷設面Ｒ１ａから後方へ離間させるようにしている。すなわち、離間突部１０４ｂによって敷設面Ｒ１ａと配線部材Ｈ１,Ｈ２,Ｈ３,Ｈ４,Ｈ５との間に隙間を生じさせることができるから、第１経路Ｒ１において最も敷設面Ｒ１ａ側に位置する配線部材(図７における第４および第５配線部材Ｈ４,Ｈ５)を第１視認部９１や透明な第１突壁９０を通じて第１経路Ｒ１の側方(図７における右方)から確認しようとする場合に、該配線部材Ｈ４,Ｈ５を確認することができる可能性が高められる。
【００４９】
(第２経路Ｒ２について)
図７に示すように、前記第２経路Ｒ２は、前記第１経路Ｒ１の敷設面Ｒ１ａを形成する前記第４壁部の延出端(第３壁部１０３と反対側の側端)から前記第１突壁９０と反対方向(前方、遊技盤２０側)へ延出する第５壁部１０５と、この第５壁部１０５の延出端(前端)から枠面部５１１と反対側(図７における右側)へ延出する第６壁部１０６と、該第６壁部１０６を挟んで第５壁部１０５と対向する第２突壁(側壁)９５と、第６配線部材Ｈ６を敷設面Ｒ２ａ側(第２経路Ｒ２)に保持する複数の押え片(配線保持部)１０５ａとにより、前記第１側枠部５１Ｌの後面側に画成されている。すなわち、第５壁部１０５、第６壁部１０６および第２突壁９５は、上下方向に延在すると共に上下および後方へ開口する断面視コ字状の壁を構成している。そして、第５壁部１０５および第２突壁９５によって左右から挟まれた第６壁部１０６の後面(敷設面Ｒ２ａ)に、第６配線部材Ｈ６が敷設されるようになっている。
【００５０】
ここで、図６に示すように、前記敷設面Ｒ２ａ(第６壁部１０６)には、前記押え片１０５ａの前方位置に、第２経路Ｒ２に連通する逃げ孔１０６ａが夫々形成されている。すなわち、各押え片１０５ａは、前後方向において当該敷設面Ｒ２ａの逃げ孔１０６ａと対向するようになっている。これにより、第２経路Ｒ２に多数の配線部材(第６配線部材Ｈ６や他の配線部材)が収容されたとしても、押え片１０５ａにかかる負荷を軽減することができるようになっている。また、敷設面Ｒ２ａには、第６配線部材Ｈ６を当該敷設面Ｒ２ａから後方へ離間させる複数の離間突部１０６ｂが設けられている。
【００５１】
また、図７に示すように、前記第１経路Ｒ１の敷設面Ｒ１ａと、前記第２経路Ｒ２の敷設面Ｒ２ａとは、前記第１側枠部５１Ｌにおいて左右に隣接して設けられると共に、これら敷設面Ｒ１ａ,Ｒ２ａに対する交差方向となる前後方向に離間して、前後方向に延在する第５壁部１０５の壁面(段差面)によって段差状に連なるよう設けられている。すなわち、第１経路Ｒ１の敷設面Ｒ１ａと、第２経路Ｒ２の敷設面Ｒ２ａとは、これら敷設面Ｒ１ａ,Ｒ２ａに対する交差方向(前後方向)に高低差のある段差状に設けられている。なお、以下の説明では、前後方向における遊技盤２０に隣接する前側(図７における下側)を「低位置側」とし、前後方向における遊技盤から離間する後側(図７における上側)を「高位置側」として説明することがある。
【００５２】
ここで、前記第２経路Ｒ２は、前記第１経路Ｒ１の敷設面Ｒ１ａよりも低位置側に位置するよう設けられている。より具体的には、第２経路Ｒ２の後端側を画成する前記押え片１０５ａが、第１経路Ｒ１の敷設面Ｒ１ａの延長位置または該延長位置よりも低位置側(第２経路Ｒ２の敷設面Ｒ２ａ側)に位置して、第２経路Ｒ２の敷設面Ｒ２ａと前後に対向するよう設けられている。すなわち、第１経路Ｒ１および第２経路Ｒ２は、隣接する左右方向(各経路Ｒ１,Ｒ２が延在する上下方向に対して交差する方向であって、かつ敷設面Ｒ１ａ,Ｒ２ａに交差する前後方向に対しても交差する方向)において重ならない程度に前後方向(敷設面Ｒ１ａ,Ｒ２ａに交差する方向)にずらして設けられている。このように構成することで、前記第１視認部９１を通じて第１経路Ｒ１を側方(図７における右側であって、第２経路Ｒ２が位置する側)から視認する際に、第２経路Ｒ２を画成する壁(具体的には、第５壁部１０５、第６壁部１０６および第２突壁９５)が妨げにならないよう構成されている。なお、実施例では、押え片１０５ａが第１経路Ｒ１の敷設面Ｒ１ａの延長位置よりも低位置側(第２経路Ｒ２の敷設面Ｒ２ａ側)に位置するよう設けられており、第６配線部材Ｈ６が複数の押え片１０５ａの間から後方へ部分的に僅かにはみ出したとしても当該第６配線部材Ｈ６が第１経路Ｒ１と左右に重ならないようになっている。なお、第２経路Ｒ２の敷設面Ｒ２ａは、前記連通経路ＲＬの敷設面ＲＬａと同一平面上で連なるよう設けられている。一方、第１経路Ｒ１の敷設面Ｒ１ａは、連通経路ＲＬの敷設面ＲＬａよりも後側に位置するよう設けられている。
【００５３】
また、前記第１経路Ｒ１の敷設面Ｒ１ａと、前記第２経路Ｒ２の敷設面Ｒ２ａとを段差状に繋ぐ段差面を形成する前記第５壁部１０５は、その延長方向(前後方向)において、第１経路Ｒ１を画成する前記第１突壁９０と重なるよう設けられている。すなわち、第５壁部１０５の延長上に、第１経路Ｒ１を画成する第１突壁９０が設けられている。このように構成することで、第１経路Ｒ１および第２経路Ｒ２の形成位置を左右に隣接させることができ、該第１経路Ｒ１および第２経路Ｒ２の間に無駄なスペースが生じないように構成されている。
【００５４】
前記第２突壁９５の延出端部は、図４に示すように、側面視において前記押え片１０５ａと重なる複数箇所がＵ字状に切り欠かれており、これによって第２突壁９５には、第１側枠部５１Ｌからの延出寸法が小さい部分と、延出寸法が大きい部分とが設けられている。そして、この切欠き部分(以下、「第２視認部９６」と指称する)を通じて第２経路Ｒ２を側方(図３における右側)から視認し得るようになっている。すなわち、第１経路Ｒ１および第２経路Ｒ２は、第１視認部９１および第２視認部９６を通じて同じ方向から視認し得るようになっている。なお、第２経路Ｒ２は、複数の前記押え片１０５ａの間が開口状に形成されており、当該開口部分によって第２経路Ｒ２が後方へ開放されている。このため、第２経路Ｒ２は、複数の押え片１０５ａの間の開口部分を通じて後方から視認し得るようになっている。そして、第２経路Ｒ２と隣接する第１経路Ｒ１もまた、前記引出口Ｒ１ｂを通じて後方から視認し得るよう構成されている。このように、第１経路Ｒ１および第２経路Ｒ２は、敷設面Ｒ１ａ,Ｒ２ａに対する交差方向(前後方向)から同時に視認し得ると共に、敷設面Ｒ１ａ,Ｒ２ａの隣接方向(左右方向)から同時に視認し得るよう構成されている。このように構成することで、第１経路Ｒ１および第２経路Ｒ２に夫々配設された第１〜第６配線部材Ｈ１,Ｈ２,Ｈ３,Ｈ４,Ｈ５,Ｈ６の状態を目視により確認する作業が極めて容易に行い得るようになっている。
【００５５】
ところで、前記第１経路Ｒ１(敷設面Ｒ１ａ)および前記第２経路Ｒ２(敷設面Ｒ２ａ)が設けられた前記設置部材５０は、遊技盤２０の後面に取り付けられた状態で、前記中枠(基体)１２に対して着脱自在に配設される。ここで、設置部材５０(背面板５１の後側)に形成される第１経路Ｒ１および第２経路Ｒ２は、前述したように段差状に前後にずらして設けられており、前記球貯留機構１２０(具体的には、前記ケース部材１２２)の周囲に生じるスペースを利用して第１〜第６配線部材Ｈ１,Ｈ２,Ｈ３,Ｈ４,Ｈ５,Ｈ６を配設し得るようになっている。
【００５６】
図３に示すように、前記球貯留機構１２０のケース部材１２２は、前記第１経路Ｒ１および前記第２経路Ｒ２に沿って上下に延在している。このケース部材１２２は、図７に示すように、第１経路Ｒ１に対して側方に位置することで、前記第１突壁９０(前記第１視認部９１)を側方から覆う状態で位置する。なお、ケース部材１２２は、光透過性を有する合成樹脂材により縦長の箱状に形成されており、該ケース部材１２２の内側に、上下に延在して前後に蛇行するよう前記球通路１２４が形成されている(図４の拡大図を参照)。球通路１２４は、複数の第１突壁９０の間に設けられた第１視認部９１の全体を側方から覆わないように設けられており、球通路１２４にパチンコ球が貯留された状態となっても、第１視認部９１を通じて中枠１２の側方から第１経路Ｒ１を確認できるようになっている。また、ケース部材１２２は、第１経路Ｒ１に対して後方に重ならず、中枠１２を後方(敷設面Ｒ１ａ,Ｒ２ａに対する交差方向)から見た状態で、前記引出口Ｒ１ｂを通じて第１経路Ｒ１を視認できるようになっている。一方で、第２経路Ｒ２は、球通路１２４よりも前側に位置しており、ケース部材１２２から前方へ延出する壁１２５(図７参照)によって側方から覆われることで、第１経路Ｒ１および第２経路Ｒ２に配設された第１〜第６配線部材Ｈ１,Ｈ２,Ｈ３,Ｈ４,Ｈ５,Ｈ６を保護している。また、ケース部材１２２から前方へ延出する壁１２５が光透過性を有することによって、前記壁１２５および第２視認部９６を通じて中枠１２の側方から第２経路Ｒ２を確認することができる。
【００５７】
〔実施例の作用〕
次に、前述のように構成された実施例に係るパチンコ機１０の作用につき説明する。
【００５８】
実施例のパチンコ機１０は、設置部材５０の前面側に画成された収容空間５３に、右発光装飾部５４ａ(右発光基板３８)、上発光装飾部５４ｂ(上発光基板３９)および左発光装飾部５４ｃ(左発光基板４０)が配設され、設置部材５０の背面板５１には、表示用開口５１ａの周囲に枠面部５１１が形成された枠面部５１１の後面側に、演出制御基板３４および表示制御基板３５を備えた制御ユニットＵＮが着脱自在に配設される。また、背面板５１の下枠部５１Ｕの後側(設置面部５１２)には、制御ユニットＵＮと第１〜第３配線部材Ｈ１,Ｈ２,Ｈ３で接続される統括中継基板３６および枠用中継基板３７がネジ等の固定手段により取り付けられる。なお、統括中継基板３６は、第４〜第６配線部材Ｈ４,Ｈ５,Ｈ６によって収容空間５３内の各発光基板３８,３９,４０と接続される。
【００５９】
収容空間５３に複数の発光装飾部５４ａ,５４ｂ、５４ｃを収容し、背面板５１の後側に制御ユニットＵＮ、統括中継基板３６および枠用中継基板３７を配設した後には、第１〜第６配線部材Ｈ１,Ｈ２,Ｈ３,Ｈ４,Ｈ５,Ｈ６を各種電気部品３４,３５,３６,３７,３８,３９,４０に接続して敷設面ＲＬａ,Ｒ１ａ,Ｒ２ａに敷設する。第１〜第６配線部材Ｈ１,Ｈ２,Ｈ３,Ｈ４,Ｈ５,Ｈ６の敷設面ＲＬａ,Ｒ１ａ,Ｒ２ａは、背面板５１における制御ユニットＵＮと前後に重なる枠面部５１１の外周側に形成されていることで、制御ユニットＵＮが設置部材５０に配設された状態での第１〜第６配線部材Ｈ１,Ｈ２,Ｈ３,Ｈ４,Ｈ５,Ｈ６の取り回しが容易となっている。ここで先ず、収容空間５３の内側へと繋がる第４〜第６配線部材Ｈ４,Ｈ５,Ｈ６を連通経路ＲＬ、第１経路Ｒ１および第２経路Ｒ２に配設した後に、第１配線部材Ｈ１、第２配線部材Ｈ２、第３配線部材Ｈ３の順に連通経路ＲＬおよび第１経路Ｒａに配設する。このように、第１〜第６配線部材Ｈ１,Ｈ２,Ｈ３,Ｈ４,Ｈ５,Ｈ６を一定の順序で配線経路(連通経路ＲＬ、第１経路Ｒ１および第２経路Ｒ２)に配設することで、各配線部材Ｈ１,Ｈ２,Ｈ３,Ｈ４,Ｈ５,Ｈ６の位置が把握し易くなり、容易に点検作業を行えるようになる。
【００６０】
第４および第５配線部材Ｈ４,Ｈ５は、一端側のコネクタを統括中継基板３６に設けたコネクタ接続部ＣＮに接続した後、連通経路ＲＬを通過するよう敷設面ＲＬａに敷設すると共に、第１経路Ｒ１に延在するよう取り回す。そして、第１〜第４配線保持部７１,７２,７３,７４の内側を通過して該第１経路Ｒ１の上端側へ引き出した他端側のコネクタを収容空間５３側へ誘導して、該コネクタを右発光基板３８および上発光基板３９のコネクタ接続部ＣＮに接続するようにする。第６配線部材Ｈ６は、一端側のコネクタを統括中継基板３６に設けたコネクタ接続部ＣＮに接続した後、連通経路ＲＬを通過するよう敷設面ＲＬａに敷設すると共に、第２経路Ｒ２に延在するよう取り回す。そして、敷設面Ｒ２ａおよび複数の押え片１０５ａの前後間を通過して該第２経路Ｒ２の上端側へ引き出した他端側のコネクタを収容空間５３側へ誘導して、該コネクタを左発光基板４０のコネクタ接続部ＣＮに接続するようにする。
【００６１】
ここで、第１経路Ｒ１および第２経路Ｒ２は、第１側枠部５１Ｌの後面側において左右に隣接するよう設けられると共に、上下に延在して、下端側の開口が下枠部５１Ｕの後面側に臨み、かつ上端側の開口が前記上枠部５１Ｔの後面側に臨むよう設けられている。そして、第１経路Ｒ１には、収容空間５３に配設された右発光基板３８および上発光基板３９へと繋がる第４および第５配線部材Ｈ４,Ｈ５が、当該第１経路Ｒ１を上下に通過するよう配設される。一方で、第２経路Ｒ２には、収容空間５３に配設された左発光基板４０へと繋がる第６配線部材Ｈ６が、当該第２経路Ｒ２を上下に通過するよう配設される。このように、下枠部５１Ｕから上枠部５１Ｔに亘って延在する同種の配線部材Ｈ４,Ｈ５,Ｈ６を複数の配線経路(第１経路Ｒ１、第２経路Ｒ２)に分けて配設することで、同種の配線部材Ｈ４,Ｈ５,Ｈ６の状態を点検する際(例えば、配線部材の接続先が相互に逆になっていないか等の点検を行う際)に、該配線部材Ｈ４,Ｈ５,Ｈ６と接続先との関係を把握し易くなり、当該点検作業を円滑に行うことができる。
【００６２】
第１配線部材Ｈ１は、一端側のコネクタを枠用中継基板３７に設けたコネクタ接続部ＣＮに接続した後、連通経路ＲＬを通過するよう敷設面ＲＬａに敷設すると共に、第１経路Ｒ１に延在するよう取り回す。そして、第１配線保持部７１の内側に当該第１配線部材Ｈ１を挿通させて該第１配線保持部７１と第２配線保持部７２との間の引出口Ｒ１ｂから後方へ向けて他端側のコネクタを引き出し、演出制御基板３４に設けたコネクタ接続部ＣＮに接続するようにする。この場合には、第１経路Ｒ１(第１配線保持部７１の内側領域)のうちで最も後側に当該第１配線部材Ｈ１を挿入し、敷設面Ｒ１ａに沿って敷設された第４および第５配線部材Ｈ４,Ｈ５に対して後方に離間させる。なお、第１配線部材Ｈ１と第４および第５配線部材Ｈ４,Ｈ５の間には、第２および第３配線部材Ｈ２,Ｈ３が後から挿入される。ここで、第１配線部材Ｈ１を引出口Ｒ１ｂから引き出すにあたり、該引出口Ｒ１ｂを挟んで下側(一方)に位置する第１配線保持部７１に設けられた対向部７６と、敷設面Ｒ１ａとの間隔Ｌ１は、引出口Ｒ１ｂを挟んで上側(他方)に位置する第２配線保持部７２に設けられた対向部７６と、敷設面Ｒ１ａとの間隔Ｌ２より大きく形成されているから、第１配線保持部７１の内側を上方へ向けて挿通した第１配線部材Ｈ１の他端側のコネクタを、後側上方へ向けて容易に引き出すことができる。なお、第２配線保持部７２の対向部７６は、図７(ａ)に示すように、規制部７７から基部７５へ向かうにつれ敷設面Ｒ１ａから離間する傾斜状に形成されている。従って、第２配線保持部７２の対向部７６の外面(後面)が第１配線部材Ｈ１を引き出す際の案内面として利用することができる。
【００６３】
また、第２配線部材Ｈ２は、一端側のコネクタを統括中継基板３６に設けたコネクタ接続部ＣＮに接続した後、連通経路ＲＬを通過するよう敷設面ＲＬａに敷設すると共に、第１経路Ｒ１に延在するよう取り回す。そして、第１および第２配線保持部７１,７２の内側に当該第２配線部材Ｈ２を挿通させて該第２配線保持部７２と第３配線保持部７３との間の引出口Ｒ１ｂから他端側のコネクタを後方へ向けて引き出し、演出制御基板３４に設けたコネクタ接続部ＣＮに接続するようにする。この場合には、第１経路Ｒ１(第１および第２配線保持部７１,７２の内側領域)において第１配線部材Ｈ１に対して前側に重なるように、かつ、第４および第５配線部材Ｈ４,Ｈ５に対して後側に重なるように、第２配線部材Ｈ２を挿入する。更に、第３配線部材Ｈ３は、一端側のコネクタを統括中継基板３６に設けたコネクタ接続部ＣＮに接続した後、連通経路ＲＬを通過するよう敷設面ＲＬａに敷設すると共に、第１経路Ｒ１に延在するよう取り回す。そして、第１〜第３配線保持部７１,７２,７３の内側に当該第３配線部材Ｈ３を挿通して該第３配線保持部７３と第４配線保持部７４との間の引出口Ｒ１ｂから後方へ向けて他端側のコネクタを引き出し、表示制御基板３５に設けたコネクタ接続部ＣＮに接続するようにする。この場合には、第１経路Ｒ１(第１〜第３配線保持部７１,７２,７３の内側領域)において第１および第２配線部材Ｈ１,Ｈ２の前側に重なるように、かつ、第４および第５配線部材Ｈ４,Ｈ５の後側に重なるように、第３配線部材Ｈ３を挿入する。
【００６４】
すなわち、実施例のパチンコ機１０は、第１〜第６配線部材Ｈ１,Ｈ２,Ｈ３,Ｈ４,Ｈ５,Ｈ６が敷設される敷設面ＲＬａ,Ｒ１ａ,Ｒ２ａが設置部材５０に設けられており、第１〜第５配線部材Ｈ１,Ｈ２,Ｈ３,Ｈ４,Ｈ５を第１経路Ｒ１に保持する第１〜第４配線保持部７１,７２,７３,７４が該第１経路Ｒ１の延在方向(上下方向)に離間して複数設けられて、第１および第２配線保持部７１,７２の間に、第１経路Ｒ１を外側へ開放する引出口Ｒ１ｂが設けられている。また、第１および第２配線保持部７１,７２は、敷設面Ｒ１ａと離間して対向する対向部７６を夫々備えており、該対向部７６および敷設面Ｒ１ａの間に第１〜第５配線部材Ｈ１,Ｈ２,Ｈ３,Ｈ４,Ｈ５を保持するよう構成されている。そして、引出口Ｒ１ｂを挟む下側に位置する第１配線保持部７１に設けられた対向部７６と敷設面Ｒ１ａとの間隔が、引出口Ｒ１ｂを挟む上側に位置する第２配線保持部７２に設けられた対向部７６と敷設面Ｒ１ａとの間隔より大きく形成されており、第１配線保持部７１に保持された第１配線部材Ｈ１を、第１および第２配線保持部７１,７２の間の引出口Ｒ１ｂから第１経路Ｒ１の外側へ引き出すと共に、残りの第２〜第５配線部材Ｈ２,Ｈ３,Ｈ４,Ｈ５を、第２配線保持部７２で保持するよう構成されている。これにより、第１〜第５配線部材Ｈ１,Ｈ２,Ｈ３,Ｈ４,Ｈ５を保持することで配線部材の保持数が多い第１配線保持部７１に設けられる対向部７６を、配線部材の保持数が少ない第２配線保持部７２に設けられる対向部７６よりも敷設面Ｒ１ａに対して大きく離間させることで、第１〜第４配線保持部７１,７２,７３,７４によって第１〜第５配線部材Ｈ１,Ｈ２,Ｈ３,Ｈ４,Ｈ５を第１経路Ｒ１に確実に保持可能な構成とすることができる。また、第１〜第５配線部材Ｈ１,Ｈ２,Ｈ３,Ｈ４,Ｈ５を敷設面Ｒ１ａから対向部７６へ向けて前後方向に重ねることができるから、第１経路Ｒ１の横幅寸法を縮小しつつ、多くの配線部材Ｈ１,Ｈ２,Ｈ３,Ｈ４,Ｈ５を第１経路Ｒ１に配設することができる。
【００６５】
しかも、第１経路Ｒ１の下端部(一方端部)に連通して該第１経路Ｒ１と交差する左右方向に延在する連通経路ＲＬが形成されており、第１配線部材Ｈ１を第１経路Ｒ１から引き出すための引出口Ｒ１ｂが、第１経路Ｒ１における下端側に偏倚した位置に対応して設けられると共に、該引出口Ｒ１ｂと連通経路ＲＬとの間に第１配線保持部７１が設けられている。そして、第１配線部材Ｈ１は、連通経路ＲＬから第１経路Ｒ１に延在して第１配線保持部７１に保持されると共に、該第１配線部材Ｈ１が引出口Ｒ１ｂから第１経路Ｒ１の外側へ引き出されて、第１配線保持部７１の対向部７６よりも後方(敷設面Ｒ１ａから離間する側)で、演出制御基板３４(所定の電気部品)のコネクタ接続部ＣＮに接続するよう構成されている。すなわち、連通経路ＲＬから第１経路Ｒ１へ向けて曲げられる第１〜第５配線部材Ｈ１,Ｈ２,Ｈ３,Ｈ４,Ｈ５を第１配線保持部７１によって確実に保持し、第１経路Ｒ１に沿って延在させることができる。また、引出口Ｒ１ｂから第２配線保持部７２の後方へ向けて、第１経路Ｒ１に沿って第１配線部材Ｈ１を引き出すことができる。
【００６６】
また、実施例のパチンコ機１０は、第１〜第６配線部材Ｈ１,Ｈ２,Ｈ３,Ｈ４,Ｈ５,Ｈ６が敷設される敷設面ＲＬａ,Ｒ１ａ,Ｒ２ａが設置部材５０に設けられると共に、該設置部材５０には、第１経路Ｒ１および第２経路Ｒ２が上下方向(所定方向)に並列に延在するよう設けられ、該第１経路Ｒ１および第２経路Ｒ２の各敷設面Ｒ１ａ,Ｒ２ａが該敷設面Ｒ１ａ,Ｒ２ａに対する交差方向としての前後方向において前後差(高低差)のある段差状に形成されて、前後方向において後側(高位置側)に第１経路Ｒ１が位置すると共に、該第１経路Ｒ２よりも前側(低位置側)にずれた位置に第２経路Ｒ２が位置するよう構成されている。そして、第１経路Ｒ１を横幅方向における第２経路Ｒ２側から視認可能とするための第１視認部９１と、第２経路Ｒ２を横幅方向における第１経路Ｒ１と反対側から視認可能とするための第２視認部９６とを備えている。すなわち、第１〜第６配線部材Ｈ１,Ｈ２,Ｈ３,Ｈ４,Ｈ５,Ｈ６を第１経路Ｒ１および第２経路Ｒ２に分けて配設することができるから、例えばメンテナンス等において特定の配線部材だけを容易に取り出すことができる。また、第１経路Ｒ１に配設された各配線部材Ｈ１,Ｈ２,Ｈ３,Ｈ４,Ｈ５および第２経路Ｒ２に配設された配線部材Ｈ６を、該第１および第２経路Ｒ１,Ｒ２の横幅方向から同時に確認できるから、第１〜第６配線部材Ｈ１,Ｈ２,Ｈ３,Ｈ４,Ｈ５,Ｈ６の点検を容易に行うことができる。
【００６７】
また、第１経路Ｒ１および第２経路Ｒ２の各敷設面Ｒ１ａ,Ｒ２ａを繋ぐ段差面が設けられると共に、段差面を形成する第５壁部１０５の延長上に、第１経路Ｒ１を画成する第１突壁(側壁)９０が設けられ、第２経路Ｒ２に第６配線部材Ｈ６を保持する押え片１０５ａが、第１経路Ｒ１の敷設面Ｒ１ａの延長位置または該延長位置よりも第２経路Ｒ２の敷設面Ｒ２ａ側で当該第２経路Ｒ２の敷設面Ｒ２ａと対向するよう設けられている。すなわち、第１経路Ｒ１および第２経路Ｒ２を、横幅方向に近接させて設けることができる。また、第１経路Ｒ１と第２経路Ｒ２とを横幅方向に重ならないよう前後方向(敷設面Ｒ１ａ,Ｒ２ａに対する交差方向)にずらして設けることで、第１経路Ｒ１および第２経路Ｒ２を横幅方向から視認し易くすることができる。
【００６８】
更に、球貯留機構(所定の遊技機構成部品)１２０が設けられる中枠(基体)１２に対して設置部材５０が着脱自在に配設されており、球貯留機構１２０は、第２経路Ｒ２に対して前後方向(敷設面Ｒ１ａ,Ｒ２ａに対する交差方向)の後側(高位置側)に位置すると共に、第１経路Ｒ１に対して横幅方向における第２経路Ｒ２側に位置するよう設けられている。そして、中枠１２に設置部材５０(遊技盤２０)および球貯留機構１２０が設けられた状態で、前後方向(敷設面Ｒ１ａ,Ｒ２ａに対する交差方向)の後側(高位置側)から第１経路Ｒ１を視認し得ると共に、第２視認部９６を通じて第２経路Ｒ２を視認し得るよう構成されている。すなわち、球貯留機構１２０を中枠１２に配設するにあたり、第１経路Ｒ１および第２経路Ｒ２を前後にずらして段差状に設けることにより生じるスペースを利用することができる。また、設置部材５０および球貯留機構１２０が中枠１２に配設された状態でも、第１経路Ｒ１および第２経路Ｒ２に配設された第１〜第６配線部材Ｈ１,Ｈ２,Ｈ３,Ｈ４,Ｈ５,Ｈ６を目視で確認することができる。
【００６９】
〔変更例〕
本願は前述した実施例の構成に限定されるものではなく、その他の構成を適宜に採用することができる。
(1)  実施例では、配線部材の敷設面を備えた設置部材を遊技盤の後面に設けるよう構成したが、遊技盤に敷設面を設けて、当該遊技盤が設置部材として機能するようにしてもよいし、他の遊技機構成部材に敷設面を設けて、当該他の部材が設置部材として機能するようにしてもよい。
(2)  実施例では、設置部材を背面板および外周板により箱状に構成したが、設置部材の形状は箱状に限られるものではなく、例えば設置部材を平板状に設けてもよい。
(3)  実施例では、設置部材の背面板の後面に配線部材の敷設面(および配線経路)を設けたが、背面板の前面に敷設面(および配線経路)を設けるようにしてもよいし、外周板に敷設面(および配線経路)を設けるようにしてもよい。
(4)  実施例では、複数の配線部材を同方向に延在する複数の配線経路(第１経路および第２経路)に分岐するよう配設したが、これらの配線部材を１つの配線経路に配設するよう構成してもよい。
(5)  実施例では、複数の配線経路(第１経路および第２経路)を同方向に直線状に延在するよう設けたが、各配線経路の形状は直線状に限られるものではなく、例えば曲線状に形成してもよい。
(6)  実施例では、敷設面に対する交差方向(前後方向)において高位置側(後側)に位置する配線経路(第１経路)に対応する第１視認部と、低位置側(前側)に位置する配線経路(第２経路)に対応する第２視認部とを設け、第１視認部および第２視認部を通じて各配線経路を横幅方向から視認し得るよう構成したが、第１視認部および第２視認部の少なくとも何れかを設けず、一方の配線経路のみを横幅方向から視認し得るようにしてもよい。
(7)  実施例では、第１視認部を、配線経路(第１経路)の側壁を構成する複数の突壁(第１突壁)の間に開口状に設けるよう構成すると共に、第２視認部を、配線経路(第２経路)の側壁を構成する１つの突壁(第２突壁)に切欠き状に設けるよう構成したが、第１視認部を切欠き状に設けてもよいし、第２視認部を開口状に設けてもよい。また、第１視認部および第２視認部は、突壁(第１突壁や第２突壁)を光透過性を有するよう形成することで配線経路を視認可能とするものであってもよい。
(8)  実施例では、複数の配線経路(第１経路および第２経路)の高低差によって生じるスペースを利用して、遊技機構成部品としての球貯留機構を設けたが、当該スペースを利用して他の遊技機構成部品を設けるようにしてもよい。
(9)  実施例では、演出制御基板、表示制御基板、統括中継基板および枠用中継基板の少なくとも何れかに接続する配線部材を例示したが、例えば主制御基板等の他の電気部品に接続する配線部材であってもよい。
(10)  実施例では、配線経路(第１経路)に配線部材を保持する配線保持部を、制御ユニットを支持する係合支持部を構成する壁部(第２壁部)に設けたが、該係合支持部とは異なる部位に配線保持部を設けるようにしてもよいし、制御ユニットとは異なる遊技機構成部材を支持するための係合支持部に配線保持部を設けるようにしてもよい。
(11)  実施例では、複数の配線保持部のうちで配線経路(第１経路)の一方端側(下端側)に偏倚した位置に対応して設けられる最も下側の引出口を挟んで位置する第１配線保持部および第２配線保持部の関係において、第１配線保持部の対向部と、敷設面との間隔を、第２配線保持部の対向部と、敷設面との間隔より大きくする一方、第２〜第４配線保持部については対向部および敷設面の間隔を一定としたが、第２配線保持部の対向部と、敷設面との間隔を、第３配線保持部の対向部と、敷設面との間隔より大きくしてもよい。
(12)  実施例では、複数の配線保持部のうちで最も下側の第１配線保持部に対応する位置に第１視認部を設けると共に、該第１視認部を挟んで位置する下側および上側の第１突壁の後方への突出寸法を同じとしたが、該第１視認部を挟んで位置する下側(第１配線保持部より下側)の第１突壁の後方への突出寸法を、該第１視認部を挟んで位置する上側(第１配線保持部より上側)の第１突壁の後方への突出寸法よりも大きく形成してもよい。
(13)  実施例では、配線経路(第１経路)の敷設面に逃げ孔を形成することで、該配線経路への配線部材の挿入作業を容易としたが、逃げ孔を形成しないようにしてもよい。
(14)  実施例では、配線経路(第１経路)の敷設面に離間突部を形成することで、配線経路内に位置する配線部材を敷設面から離間させるようにしたが、離間突部を形成しないようにしてもよい。
(15)  実施例では、配線経路(第１経路)の敷設面において第１視認部との対応位置に逃げ孔を形成すると共に、逃げ孔を挟む両側に離間突部を夫々形成することで、離間突部によって敷設面から離間させた配線経路内に位置する配線部材を第１視認部から視認し得るようにしたが、敷設面において逃げ孔の形成位置に関係なく他の位置に離間突部を形成するようにしてもよい。
(16)  遊技機としては、パチンコ機に限られるものではなく、アレンジボール機やパチンコ球を用いたスロットマシン等、その他各種の遊技機であってもよい。
【符号の説明】
【００７０】
３４  演出制御基板(所定の電気部品)
５０  設置部材
７１  第１配線保持部(配線保持部、一方の配線保持部)
７２  第２配線保持部(配線保持部、他方の配線保持部)
７６  対向部
９１  第１視認部
９６  第２視認部
Ｈ１  第１配線部材(配線部材)
Ｈ２  第２配線部材(配線部材)
Ｈ３  第３配線部材(配線部材)
Ｈ４  第４配線部材(配線部材)
Ｈ５  第５配線部材(配線部材)
Ｌ１  第１配線保持部の対向部と、敷設面との間隔
Ｌ２  第２配線保持部の対向部と、敷設面との間隔
Ｒ１  第１経路(配線経路)
Ｒ１ａ  敷設面
Ｒ１ｂ  引出口
Ｒ２  第２経路(他の配線経路)
Ｒ２ａ  敷設面
ＲＬ  連通経路
【図１】
0006323915.tif 000002
【図２】
0006323915.tif 000003
【図３】
0006323915.tif 000004
【図４】
0006323915.tif 000005
【図５】
0006323915.tif 000006
【図６】
0006323915.tif 000007
【図７】
0006323915.tif 000008
【図８】
0006323915.tif 000009